(57)【要約】【課題】本発明の課題は、筆記具の損傷も防止するとともに、筆記具を挿脱し易く、特にクリップを有する筆記具を挿脱し易いバインダー用筆記具ホルダーを簡単な構造で提供することである。【解決手段】一枚の可撓材を２つに折りたたんで重ね合わせ筆記具を保持する、両端を開口した筒状の保持部と、バインダーの開閉リングを挿通させるための孔とを設けた平面部とを有するバインダー用筆記具ホルダーにおいて、前記保持部の少なくとも一方に、一方の開口端から他方の開口端に向かって切り欠いた有底状の挿入窓を設けたことを特徴とする。【選択図】          図１
2013146984.tif 000002
【特許請求の範囲】
【請求項１】
一枚の可撓材を２つに折りたたんで重ね合わせ筆記具を保持する、両端を開口した筒状の保持部と、バインダーの開閉リングを挿通させるための孔とを設けた平面部とを有するバインダー用筆記具ホルダーにおいて、前記保持部の少なくとも一方に、一方の開口端から他方の開口端に向かって切り欠いた有底状の挿入窓を設けたことを特徴とするバインダー用筆記具ホルダー。
【請求項２】
前記挿入窓が、開口端側の太幅部と、前記太幅部よりも幅の小さい小幅部とを有することを特徴とする請求項１に記載のバインダー用筆記具ホルダー。
【請求項３】
前記保持部が、多角形形状であって、前記多角形の最外縁の角部が、前記バインダー用筆記具ホルダーの平面の略延長線上に位置することを特徴とする請求項１または２に記載のバインダー用筆記具ホルダー。
【請求項４】
請求項１ないし３に記載のバインダー用筆記具ホルダーの保持部に、筆記具を挿通してなる筆記具セットであって、前記筆記具が、軸筒内に配設した筆記体のペン先部を軸筒先端開口部から出没可能であり、前記軸筒の後端部にクリップを配設してなり出没式筆記具であって、前記バインダー用筆記具ホルダーの挿入窓にクリップを係止し、前記筆記体のペン先部が軸筒先端開口部から突出した状態において、前記筆記体のペン先部が、前記保持部の他方の開口端よりも内側に位置することを特徴とする筆記具セット。
【請求項５】
前記バインダー用筆記具ホルダーの挿入窓にクリップを係止した状態で、前記筆記具の後端が、前記保持部の一方の開口端よりも内側に位置することを特徴とする請求項４に記載の筆記具セット。
【発明の詳細な説明】
【技術分野】
【０００１】
本発明は、一枚の可撓材を２つに折りたたんで重ね合わせ筆記具を保持する筒状の保持部と、バインダーの開閉リングを挿通させるための孔を設けてなるバインダー用筆記具ホルダー及びそれを用いた筆記具セットに関する。
【背景技術】
【０００２】
従来から、書類をファイルするなどを目的とし、開閉可能な開閉リングを有するバインダーが知られている。こうしたバインダーは、多様な書類を任意の位置に差し換え可能であり、その一例としては、手帳やダイアリー等がある。
【０００３】
ところで、筆記用具を手帳やダイアリー等と一緒に携帯することができれば便利であるため、実開昭６０−１４９８０号「冊子用ホルダー」や実開昭６０−５６５７９号「ファイル、バインダー等の筆記具止め」、実公平６−１８３５号「バインダー用筆記用具ホルダー」に、筆記具を挿嵌保持する筒部を設けてなるバインダー用筆記具ホルダーが開示されている。
【先行技術文献】
【特許文献】
【０００４】
【特許文献１】「実開昭６０−１４９８０号公報」
【特許文献２】「実開昭６０−５６５７９号公報」
【特許文献３】「実公平６−１８３５号公報」
【発明の概要】
【発明が解決しようとする課題】
【０００５】
前記した特許文献１、２のバインダー用筆記具ホルダーは、筆記具の一部分のみを保持するため、筆記具の大部分が露出するので長く使用するにつれて筆記具が傷みやすくなるという問題がある。
【０００６】
前記した特許文献３の筆記具ホルダーは、バインダーの開閉リング内に筒部を設けることで、筆記具の損傷を防止しているが、筒部への筆記具の挿脱がし難くなる問題がある。
【０００７】
また、前記特許文献１、２では、筒部に筆記具のクリップを係止したときに、筆記具が回転してしまう問題があり、特許文献３では、筒部に筆記具のクリップを係止し難い問題があった。
【０００８】
本発明の目的は、上述した従来の問題点等に鑑み、筆記具の損傷も防止するとともに、筆記具を挿脱し易く、特にクリップを有する筆記具を挿脱し易いバインダー用筆記具ホルダーを簡単な構造で提供することである。
【課題を解決するための手段】
【０００９】
本発明は、一枚の可撓材を２つに折りたたんで重ね合わせ筆記具を保持する、両端を開口した筒状の保持部と、バインダーの開閉リングを挿通させるための孔とを設けた平面部とを有するバインダー用筆記具ホルダーにおいて、前記保持部の少なくとも一方に、一方の開口端から他方の開口端に向かって切り欠いた有底状の挿入窓を設けたことを特徴とする。
【００１０】
また、前記挿入窓が、開口端側の太幅部と、前記太幅部よりも幅の小さい小幅部とを有することを特徴とする。
【００１１】
また、前記保持部が、多角筒状形状であって、前記保持部の最外縁の角部が、前記バインダー用筆記具ホルダーの平面部の略延長線上に位置することを特徴とする。
【００１２】
さらにまた、請求項１ないし３に記載のバインダー用筆記具ホルダーの保持部に、筆記具を挿通してなる筆記具セットであって、前記筆記具が、軸筒内に配設した筆記体のペン先部を軸筒先端開口部から出没可能であり、前記軸筒の後端部にクリップを配設してなり出没式筆記具であって、前記バインダー用筆記具ホルダーの挿入窓にクリップを係止し、前記筆記体のペン先部が軸筒先端開口部から突出した状態において、前記筆記体のペン先部が、前記保持部の他方の開口端よりも内側に位置することを特徴とする。
【００１３】
また、前記バインダー用筆記具ホルダーの挿入窓にクリップを係止した状態で、前記筆記具の後端が、前記保持部の一方の開口端よりも内側に位置することを特徴とする。
【００１４】
本願発明の第１の構成によれば、前記保持部の少なくとも一方に、一方の開口端から他方の開口端に向かって切り欠いた有底状の挿入窓を設けることにより、保持部内に筆記具を挿入し易くすることができる。さらに、挿入窓から筆記具のクリップを係止して筆記具の落下を防止した際、挿入窓の側面によって筆記具の回転を抑制し、安定して保持することができる効果を奏する。
【００１５】
尚、本発明の可撓材には、ポリエチレンテレフタレート、ポリエステル、ポリプロピレン、ナイロン、塩ビ等の樹脂材、紙材などを使用することができる。さらに、高級な感じにするため、天然革や合成革、布地等も用いることができる。また、前記バインダー用筆記具ホルダーの厚みは、組立性及びレフィル交換性を鑑みて０．１ｍｍ〜３．０ｍｍが好ましく、強度や加工性を考慮して０．２〜１．０ｍｍが最も好ましい。
【００１６】
また、筒状の保持部の長さは、挿入窓から筆記具のクリップを係止して筆記具を保持した状態で、筆記具の露出が少なくすることが好ましく、そのため、１０ｃｍ〜２０ｃｍとすることが好ましい。これは、一般的な筆記具の全長は、１２ｃｍ〜１６ｃｍ程度であって、ノック式筆記具の場合には、さらにペン先が突出した状態を鑑みて長くすることが好ましい。そのため、１７ｃｍ〜２０ｃｍが最も好ましい。
【００１７】
さらにまた、挿入窓の長手方向の長さは、挿入窓から筆記具のクリップを係止して筆記具を保持した状態で、筆記具の後端部の露出が少なくすることが好ましく、一般的な筆記具のクリップの基部の先端面から筆記具の後端までの長さは、１．５ｃｍ〜２．０ｃｍであることを考慮して、２．０ｃｍ〜５．０ｃｍとすることが好ましい。
【００１８】
本願発明の請求項２の構成によれば、前記挿入窓が、開口端側の太幅部と、前記太幅部よりも幅の小さい小幅部とを有することにより、開口端側の太幅部によって筆記具を挿通し易く、細幅部によって筆記具の回転を効果的に防止することができる効果を奏する。
【００１９】
尚、太幅部と小幅部とは連続的に設けてもよいが、太幅部と小幅部を段状に設けることで、太さの異なるクリップ基部に対応し易くすることができるので、段状に設けることが好ましい。
【００２０】
本願発明の請求項３の構成によれば、前記筒部が、多角筒状形状であって、前記多角形の最外縁の角部が、前記バインダー用筆記具ホルダーの平面の略延長線上に位置することにより、筆記具を保持していない状態でカバンなどにバインダー用筆記具ホルダーを入れて持ち運ぶなどによって、筒部が潰れても予め角部が折り目となり、元の状態に戻り易い効果を奏する。
【００２１】
本願発明の請求項４の構成によれば、請求項１ないし３に記載のバインダー用筆記具ホルダーの保持部に、筆記具を挿通してなる筆記具セットであって、前記筆記具が、前記軸筒の後端部にクリップを有し、前記軸筒内に筆記体を摺動自在に配設し、前記筆記体のペン先部を前記軸筒の先端開口部から出没可能なノック式筆記具であり、前記ノック式筆記具のペン先部を露出した状態で保持部に挿通し、前記挿入窓にクリップを係止した状態で、前記ペン先部が、前記保持部の他方の開口端よりも内側に位置することで、ペン先部の損傷及びペン先部がカバンなどに当接して汚れることを防止する効果を奏する。
【００２２】
本願発明の請求項５の構成によれば、前記バインダー用筆記具ホルダーの保持部に、筆記具を挿通し、クリップを係止した状態で、前記筆記具の後端が、前記保持部の一方の開口端よりも内側に位置することで、例えば、軸筒後端部のノック体を押圧してペン先部を出没するノック式筆記具の場合には、誤ってノック体を押圧することを抑制し、軸筒後端部に変色又は消色する付設具を具備してなるノック式筆記具の場合には、付設具の汚れや損傷を抑制する効果を奏する。
【発明の効果】
【００２３】
本発明は、筆記具の損傷を抑制するとともに、クリップを有する筆記具を挿脱し易い筆記具ホルダー及びそれを用いた筆記具セットを簡単な構造で提供することができた。
【図面の簡単な説明】
【００２４】
【図１】実施例１におけるバインダー用筆記具ホルダーを示す斜視外観図である。
【図２】図１における筒部側から見た図である。
【図３】図１における他方の開口端側から見た図である。
【図４】実施例１のバインダー用筆記具ホルダーを用いた筆記具セットを示す斜視外観図である。
【図５】図４における筒部側から見た外観図である。
【図６】図４における筆記具の断面図である。
【図７】実施例２のバインダー用筆記具ホルダーを示す筒部側から見た外観図である。
【発明を実施するための形態】
【００２５】
以下、図面を参照して本発明の実施例を説明する。尚、図面中同じ部材、同じ部品については同じ番号を付してある。
【００２６】
実施例１
図１から図３に示すように、実施例１のバインダー用筆記具ホルダー１は、シート状の塩ビからなる可撓材から構成される。可撓材は２つ折りにされており、一方の側面端部を重ね合わせて接合することで多角形状（略正八角形）の筒部４を設けてある。また、筒部４と直交する他方の端部には、ダイアリーの開閉リング（図示せず）を挿通させるための複数の孔３を設けた平面部３を設けてある。
【００２７】
筒部４には、一方の開口端４Ａから他方の開口端４Ｂに向かって切り欠いた有底状の挿入窓４Ｃを設けてあり、挿入窓４Ｃにクリップを係止して筆記具を筒部４に挿脱可能としてある。また、挿入窓４Ｃの側面４ＣＢは、一方の開口端４Ａ側の角部Ｒを円弧状として、挿入性の向上及び手など触れても問題ない形状としてある。
【００２８】
図４、図５は、実施例１にバインダー用筆記具ホルダー１の保持部４に筆記具１１を保持した筆記具セットを示すものである。筆記具１１について詳述すると、図６に示すように、前軸１２と後軸１３を着脱自在に螺着して得た軸筒本体内に収容した筆記体２１を、コイルスプリング１４によって、後軸１３の後端方向に向かって、摺動自在に付勢して収容してある。出没機構は、後軸１３より外方に突出して配設した操作体であるクリップ１５と一体に押圧部１５Ａを連設してあり、クリップ１５を前軸１２の先端開口部１２Ａ方向にスライドすることによって、回転カム１７、押し棒１６からなる従来から知られている回転カムによる出没機構を作動させ、ボールペンチップらなるペン先部２４を、前軸１２の先端開口部１２Ａから出没可能としてある。また、前軸１２には、グリップ２０を装着してある。
【００２９】
筆記体２１は、インキ収容筒２２の先端部に、φ０．７ｍｍのボールを回転自在に抱持したボールペンチップからなるペン先部２４を、チップホルダー２３を介して装着し、インキ収容筒２２の後端部には、尾栓２５を装着してある。また、インキ収容筒２２内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）の筆記具用水性ゲルインキ２６と、このインキの後端に、グリース状のインキ追従体２７を直に収容してある。
【００３０】
後軸１３の後端部には、尾冠１８を介してシリコーンゴムからなる摩擦体となる付設具１９を露出して設けてあり、この付設具１９を筆記面に圧接し、擦ることで発生する熱によって、筆跡を変色或いは消色させることができる。
【００３１】
実施例１のバインダー用筆記具ホルダー１の筒部４に筆記具１１を保持するには、筒部４の一方の開口端４Ａ側から前軸１２の先端を挿通していき、クリップ１５の基部１５Ａを挿入窓４Ｃに位置させる。さらに、筆記具１１を挿通していくと、クリップ１５の基部１５Ａは、挿入窓４Ｃの底面４ＣＡに当接してその後の筆記具１１の挿通を防止する。このとき、クリップ１５は、筒部４の外方に位置し、クリップ１５と後軸１３間にて筒部４を挟持している。この挟持する力と、挿入窓４Ｃの側面４ＣＢとによって筆記具１１の回転を抑制してある。
【００３２】
また、筒部４の長手方向の長さは、筆記具１１の全長よりも長くしてあるため、筆記具１１が露出する部分が少なく床面に落とした場合でも筆記具１１の損傷を防止することができる。さらに、筆記具１１のペン先部２４が突出した状態で、バインダー用筆記具ホルダー１の筒部４の挿入窓４Ｃにクリップ１５を係止してもペン先部２４は他方の開口端４Ｂよりも内側に位置しているため、ペン先部２４の損傷及びカバンなどの汚れを防止することができる。さらにまた、筆記具１１を保持した状態において筆記具１１の後端（付設具１９）も、一方の開口端４Ａよりも内側に位置（距離Ｋ）しているので、付設具１９への汚れや接触を抑制することもできる。
【００３３】
実施例２
図７に示すように、実施例２のバインダー用筆記具ホルダー１０１は、保持部１０４の挿入窓１０４Ｃに、一方の開口端１０４Ａ側の幅広の太幅部１０４ＣＣと、太幅部１０４ＣＣよりも幅よりも小さい幅の小幅部１０４ＣＤとを段状に設けてある。この挿入窓１０４Ａにクリップ１５を係止して筆記具１１を筒部１０４に挿脱可能とした以外は、実施例１のバインダー用筆記具ホルダー１と同様にして得ている。
【００３４】
実施例２のバインダー用筆記具ホルダー１０１の筒部１０４に筆記具１１を保持するには、一方の開口端１０４Ａ側から前軸１２の先端を挿通していき、クリップ１５の基部を挿入窓１０４Ｃに位置させる。さらに、筆記具１１を挿通していくと、クリップ１５の基部１５Ａは、挿入窓１０４Ｃの太幅部１０４ＣＣから太幅部１０４ＣＣの幅よりも小さい幅の小幅部１０４ＣＤへと傾斜状の斜面を利用してスムーズに移行し、挿入窓１０４Ｃの底面１０４ＣＡにクリップ１５の基部１５Ａが当接してその後の筆記具１１の挿通及び小幅部１０４ＣＤの側面１０４ＣＢによって筆記具の回転を防止する。
【００３５】
尚、本実施例では、便宜上、保持部の形状を八角形の多角形形状としてあるが、円筒形状や六角形状であってもよい。但し、筒部が潰れても予め角部が折り目となり、元の状態に戻り易いため、多角形状とすることが好ましい。
【産業上の利用可能性】
【００３６】
本発明のバインダー用筆記具ホルダー及びそれを用いた筆記具セットは、筆記体に収容するインキ色、インキの種類、ボールペンやシャープペンシルなど筆記具の種類に限定されるものでなく、手帳やダイヤリーなど広く利用可能である。
【符号の説明】
【００３７】
１、１０１  バインダー用筆記具ホルダー
２、１０２  平面部
３、１０３  孔
４、１０４  保持部
４Ａ、１０４Ａ  一方の開口端
４Ｂ、１０４Ｂ  他方の開口端
４Ｃ、１０４Ｃ  挿入窓
４ＣＡ、１０４ＣＡ  底面
４ＣＢ、１０４ＣＢ  側面
１０４ＣＣ  太幅部
１０４ＣＤ  小幅部
１１  筆記具
１２  前軸
１２Ａ  先端開口部
１３  後軸
１５  クリップ
１５Ａ  基部
１７  回転カム
１９  付設具
２１  筆記体
２４  ペン先部
Ｒ  角部
【図１】
2013146984.tif 000003
【図２】
2013146984.tif 000004
【図３】
2013146984.tif 000005
【図４】
2013146984.tif 000006
【図５】
2013146984.tif 000007
【図６】
2013146984.tif 000008
【図７】
2013146984.tif 000009